(57)【特許請求の範囲】
【請求項１】
感熱孔版原紙の感熱フィルム面と、光熱変換物質を含む画像が形成されている原稿とを接着剤により接着し、感熱孔版原紙の側から光を照射して前記光熱変換物質を発熱させることにより前記感熱孔版原紙を穿孔することを特徴とする感熱製版方法。
【請求項２】
前記感熱孔版原紙を穿孔した後に前記感熱孔版原紙と前記原稿を剥がし、前記感熱孔版原紙の前記感熱フィルム面に微粉を転写して粘着力を消去することを特徴とする請求項１記載の感熱製版方法。
【請求項３】
前記接着剤よりも粘着力の小さい粘着剤によって表面に微粉を付着したシートを用い、穿孔後に前記原稿から剥がした前記感熱孔版原紙の前記感熱フィルム面に前記シートの表面を密着させた後に該シートを剥がすことを特徴とする請求項２記載の感熱製版方法。
【請求項４】
感熱フィルムと、前記感熱フィルムの一方の面に設けられた接着層と、前記感熱フィルムの他方の面に接着された多孔性支持体とを有する感熱孔版原紙。
【請求項５】
前記接着層が、前記多孔性支持体の開口部に相対する部分に形成された請求項４記載の感熱孔版原紙。
【請求項６】
前記接着層が、前記多孔性支持体の開口部を分割する格子状のパターンに形成された請求項５記載の感熱孔版原紙。
【請求項７】
前記接着層が、前記多孔性支持体の開口部よりも小さい点状のパターンに形成された請求項５記載の感熱孔版原紙。
【請求項８】
光熱変換物質を含む画像が形成されている用紙と、前記用紙の少なくとも前記画像上に設けられた接着層とを有する感熱孔版原紙製版用原稿。
【発明の詳細な説明】
【０００１】
【発明の属する技術分野】
本発明は、原稿と感熱孔版原紙を接着剤で接着して製版する感熱製版方法と、この方法に有用な接着剤付きの感熱孔版原紙、並びにこの方法に有用な接着剤付きの原稿に関する。
【０００２】
【従来の技術】
一般的な感熱孔版原紙は、多孔性の支持体と感熱フィルムを貼り合わせた構造である。これを製版する場合には、感熱孔版原紙の製版面である感熱フィルムと原稿のカーボン画像とを密着させる。感熱孔版原紙の支持体の側から原稿に向けて光を照射する。光が照射された原稿の画像に含まれたカーボンが発熱する。原稿に密着している感熱フィルムは、この熱によって画像の形状に溶融・穿孔される。
【０００３】
感熱孔版原紙の製版においては、感熱孔版原紙の感熱フィルムと原稿とを確実に密着させておく必要がある。これは、上述したように、光を照射してカーボン画像を発熱させ、この熱で感熱フィルムを溶融して穿孔する製版の原理に起因するものである。
【０００４】
このため従来は、感熱フィルムと原稿を機械的な圧力で密着させて製版を行う装置が用いられていた。例えば、本出願人は次のような製版印刷装置を提案している。この装置は、基台と、この基台の上面に対してヒンジを介して開閉可能となるように取り付けられた押圧板とを有する。押圧板の中央は透明板で構成されており、その下面（基台側）に感熱孔版原紙が取り付けられ、その上面側には光照射装置が着脱可能に取り付けられる。基台の上に画像を上にして原稿を載せ、押圧板の透明板の下面に感熱フィルムが原稿の画像面と対向する様に感熱孔版原紙を設け、押圧板の透明板の上側には光照射装置を設ける。押圧板を基台側に押し下げて感熱孔版原紙の製版面を原稿に密着させ、その瞬間に光照射装置を作動させる。光照射装置は、透明板を介して感熱孔版原紙に向けて閃光を照射し、原稿の画像の発熱によって感熱孔版原紙は製版される。なお、このような本出願人の提案する製版印刷装置は、例えば特開昭６４−１１８７５号にて公開されている。
【０００５】
【発明が解決しようとする課題】
前記製版印刷装置を用いた製版においては、密着している原稿と感熱孔版原紙に含まれている水分が、閃光によって画像が発熱した瞬間に一気に蒸発・膨張する爆発現象が生じる。この爆発力は密着している原稿と感熱孔版原紙を剥がす方向に働くので、これに耐えられるだけの加圧力で前記押圧板を基台に向けて押圧し、原稿と感熱孔版原紙が剥がれないようにしなければならない。前記製版印刷装置は、このように強い押圧力で操作されるため、これに耐えられるだけの強い構造・材質で製作する必要がある。
【０００６】
上述したような構造が頑丈で機械的加圧機能を有する製版印刷装置は、装置全体の寸法が大きくなり、また製造コストも高いという問題があった。さらに、このような製版印刷装置を用いる製版作業は、強い押圧力が必要なので作業者の疲労が避けられないという問題があった。
【０００７】
本発明は、感熱孔版原紙と原稿に機械的圧力を加えずに感熱孔版原紙の製版が行える感熱製版方法と同方法に有用な感熱孔版原紙並びに感熱孔版原紙製版用原稿を提供することを目的としている。
【０００８】
【課題を解決するための手段】
請求項１に記載された感熱製版方法は、感熱孔版原紙の感熱フィルム面と、光熱変換物質を含む画像が形成されている原稿とを接着剤により接着し、感熱孔版原紙の側から光を照射して前記光熱変換物質を発熱させることにより前記感熱孔版原紙を穿孔することを特徴とする。
【０００９】
請求項２に記載された感熱製版方法は、請求項１記載の感熱製版方法において、前記感熱孔版原紙を穿孔した後に前記感熱孔版原紙と前記原稿を剥がし、前記感熱孔版原紙の前記感熱フィルム面に微粉を転写して粘着力を消去することを特徴とする。
【００１０】
請求項３に記載された感熱製版方法は、請求項２記載の感熱製版方法において、前記接着剤よりも粘着力の小さい粘着剤によって表面に微粉を付着したシートを用い、穿孔後に前記原稿から剥がした前記感熱孔版原紙の前記感熱フィルム面に前記シートの表面を密着させた後に該シートを剥がすことを特徴とする。
【００１１】
請求項４に記載された感熱孔版原紙は、感熱フィルムと、前記感熱フィルムの一方の面に設けられた接着層と、前記感熱フィルムの他方の面に接着された多孔性支持体とを有している。
【００１２】
請求項５に記載された感熱孔版原紙は、請求項４記載の感熱孔版原紙において、前記接着層が、前記多孔性支持体の開口部に相対する部分に形成されたことを特徴とする。
【００１３】
請求項６に記載された感熱孔版原紙は、請求項５記載の感熱孔版原紙において、前記接着層が、前記多孔性支持体の開口部を分割する格子状のパターンに形成されたことを特徴とする。
【００１４】
請求項７に記載された感熱孔版原紙は、請求項５記載の感熱孔版原紙において、前記接着層が、前記多孔性支持体の開口部よりも小さい点状のパターンに形成されたことを特徴とする。
【００１５】
請求項８に記載された感熱孔版原紙製版用原稿は、光熱変換物質を含む画像が形成されている用紙と、前記用紙の少なくとも前記画像上に設けられた接着層とを有することを特徴とする。
【００１７】
【発明の実施の形態】
本発明の実施の形態の一例を図１〜図３を参照して説明する。
図１は感熱孔版原紙１の断面図である。インクを通過させる多孔性支持体２には、感熱フィルム３が接着されている。
【００１８】
本発明に用いられる感熱フィルム３としては、例えばポリエステルフィルム、ポリカーボネートフィルム、ポリプロピレンフィルム、ポリ塩化ビニルフィルム、ポリ塩化ビニル−塩化ビニリデン共重合体フィルム等が挙げられ、その厚さは通常１０μｍ以下、好ましくは０．５〜６．０μｍの範囲とされる。
【００１９】
本発明に用いられる多孔性支持体２としては、マニラ麻、パルプ、ミツマタ、コウゾなどの天然繊維を素材とした和紙などの紙、ポリエステル、ナイロン、ビニロン、アセテートなどの合成繊維、金属繊維、ガラス繊維等を素材とした織物または不織布などが挙げられる。これらの繊維は単独でまたは２種以上併用して使用できる。多孔性支持体２の秤量は、原紙の強度およびインク通過性の点から、通常１〜２０ｇ／ｍ2 の範囲、好ましくは５〜１５／ｍ2 の範囲とされる。また多孔性支持体２の厚さも上記と同様の理由で通常５〜１００μｍの範囲、好ましくは１０〜５０μｍの範囲とされる。
【００２０】
前記多孔性支持体２と前記感熱フィルム３を接着している接着剤としては、例えばエポキシ樹脂、フェノール樹脂、ポリ酢酸ビニル、エチレン−酢酸ビニル共重合体、塩化ビニル−酢酸ビニル共重合体、アクリル樹脂、ポリエステル、ポリウレタン、スチレン−ブタジエン共重合体、ポリイソブチレン、ポリイソプレン、ブチルゴム、ポリアクリルアミド、ロジン、テルペン樹脂、ポリスチレン等が挙げられる。
【００２１】
前記感熱フィルム３の表面には、接着層４が設けられている。図１に示すように、使用前の状態においては、感熱フィルム３の接着層４には剥離保護シート５が接着されている。この接着層４は後述するように製版時に原稿を接着して一時的に固定するためのものである。従って、手で剥がせる程度の弱粘着性でありながら、同時に製版時の爆発現象のような瞬間的な力に耐えることができ、かつ光透過性と熱伝導性の良好な素材であることが好ましい。
【００２２】
前記接着層４を構成する接着剤には、例えば感圧接着剤を使用できる。ここで、感圧接着剤とは、溶剤や熱などの助けを必要とせず、指圧等ごく低い圧力で他表面に接着し、またこれをはぎ取る時には被着面に痕跡を残さず、容易にはぎ取ることができるような接着剤である。
【００２３】
感圧接着剤の成分は、弾性体、粘着付与樹脂、可塑剤、充填剤、老化防止剤などである。弾性体としては、天然ゴム、合成イソプレンゴム、再生ゴム、ＳＢＲ、ポリイソブチレン、ＮＢＲ、ポリビニルエーテル、ポリアクリルエステル又はその共重合体、スチレンイソプレン又はスチレンブタジエンブロック重合体等がある。粘着付与樹脂としては、ポリチルベン、ロジンならびにその誘導体、油溶性フェノール樹脂、タマロンインデン樹脂、石油系炭化水素樹脂等がある。可塑剤としては、鉱油、ラノリン、液状ポリブチン、液状ポリアクリレート等がある。充填剤としては、亜鉛華、チタン白、炭カル、クレー、水酸化アルミ、顔料等がある。老化防止剤としては、ゴム用酸化防止剤、金属ジチオカーバメート、金属キレート剤等がある。
【００２４】
上述した感圧接着剤の他、無溶剤型感圧接着剤も使用できる。無溶剤型感圧接着剤としては、エマルジョン型、水溶性型、ホットメルト型、オリゴマー型等の接着剤が使用できる。また、熱硬化型感圧接着剤、吸湿硬化型感圧接着剤、嫌気性硬化型感圧接着剤等の硬化型感圧接着剤も使用できる。
【００２５】
前記接着層４は感熱フィルム３の表面にスプレー等の手段によってランダムパターンで形成されている。接着層４として熱伝導性の良好な材料を用いた場合には、製版時には画像部に対応して前記感熱フィルム３が穿孔されるが、熱伝導性の小さなものを用いた場合には、接着層４の部分に対応する前記感熱フィルム３は穿孔されず、感熱フィルム３の溶融した部分は支持体２と接着層４とに絡みつくことになる。
【００２６】
図２は製版時の状態を示した断面図である。原稿７は、用紙８の上に光熱変換物質を含む画像９を形成したものである。光熱変換物質としては、光のエネルギーを熱のエネルギーに変換することができる材料であればよく、光熱変換効率の良い材料、例えばカーボンブラック、ランプブラック、炭化珪素、窒化炭素、金属粉、金属酸化物、無機顔料、有機顔料、有機染料等が好ましい。これらの中でも、フタロシアニン系色素、シアニン系色素、スクアリリウム系色素、ポリメチン系色素のように特定波長で大きな光吸収性を示すものが特に好ましい。
【００２７】
図１に示すように、感熱孔版原紙１から剥離保護シート５を剥がし、次に図２に示すように該感熱孔版原紙１の接着層４を、原稿７の画像９側に重ねて接着する。外部から機械的な圧力を加えることなく、矢印で示すように単に感熱孔版原紙１の多孔性支持体２の側から光照射手段によって閃光を照射するだけで、感熱孔版原紙１の感熱製版が行われる。つまり、感熱フィルム３の内、原稿７の画像９に対応する部分が穿孔される。
【００２８】
即ち、光が原稿７の画像９に吸収されて熱に変換されると、原稿７や感熱孔版原紙１に含まれている水分は一気に気化して爆発現象が起きるが、原稿７と感熱孔版原紙１は接着層４によって確実に固定されているので、このような爆発現象によっても両者の接着面が剥がれることはない。従って、感熱孔版原紙１の感熱フィルム３には、原稿７の画像９に忠実な穿孔画像が形成される。
【００２９】
本例における製版では、原稿７と感熱孔版原紙１を機械的に加圧する必要がないので、製版装置に要求される機能は従来に比べて大きく削減され、非常に簡単な構造の装置で製版が可能になる。具体的には、接着した原稿７と感熱孔版原紙１を載置する基台と、原稿７と感熱孔版原紙１を覆って基台の上に設けられる光照射装置があればよい。光照射装置は、下面側が開口した箱であり、その内面は光反射板に覆われ、外部から点火可能なフラッシュバルブが設けられている。製版時には、接着した原稿７と感熱孔版原紙１を、感熱孔版原紙１を上にして基台の上に載せ、上から光照射装置を被せて閃光を照射すればよい。
【００３０】
製版が完了したら、感熱孔版原紙１の接着層４から原稿７を剥がす。次に、図３に示すように、感熱孔版原紙１の接着層４の粘着力を消すために、接着層４に微粉を付着させる。そのために、図３に示すパウダーシート１０を用いる。このパウダーシート１０は、前記接着層４よりも粘着力の小さい粘着剤によってシート１１の表面に微粉１２を付着したものである。微粉１２としては、粒径１０μｍ以下のアクリル系、セルロース系、珪素系の微粉体が使用できる。製版後の前記感熱孔版原紙１の製版面にパウダーシート１０の表面を密着させ、その後に該パウダーシート１０を剥がす。パウダーシート１０の微粉１２は感熱孔版原紙１の接着層４に転写され、該接着層４の粘着力は消去される。
【００３１】
図４は前記接着層４を格子状のパターンに形成した例を示す。この例では、支持体２として格子状に編まれた２００メッシュの紗を用いており、この支持体上に感熱フィルム３が接着され、さらにグラビア印刷により２〜５μｍ程度のごく薄い厚さでこの感熱フィルム上に接着層４が形成されている。この格子パターンの接着層４は前記支持体２の繊維と同間隔で形成されると共に、支持体２の繊維間の開口部に位置する様に配置されている。
【００３２】
これにより、製版された本例の感熱孔版原紙１においては、接着層４の部分は穿孔されないので、接着層４の格子状パターンの内部の感熱フィルム３が溶融して接着層４と支持体２に絡みつく。そして、接着層４の格子の間に形成された感熱フィルム３の開口６は、そこに露出した前記多孔性支持体２の繊維によって、より小さい複数の開口に分割されることとなる。即ち、本例の感熱孔版原紙１によれば、接着層４がない従来の原紙に比べて穿孔部の開口が小さくなり、製版画像及び印刷画像の分解能が向上する。
【００３３】
従って、本例において製版された感熱孔版原紙１で印刷を行えば、従来よりも分解能の高い高品質の孔版印刷画像が得られる。また、感熱孔版原紙１の穿孔部の開口が多数に分割されて小さくなるので、印刷時に印刷用紙に転移するインクの量が減少する。このため、印刷済みの用紙を次々に重ねた場合に下の用紙の画像が上の用紙の裏に移る現象（裏写り）が発生しにくくなる。
【００３４】
本例においては、感熱孔版原紙１に形成した接着層４は格子状であったが、図５に示す変形例のように、前記接着層を、前記多孔性支持体２の孔（繊維の隙間）よりも小さい点状のパターンの接着層４ａに形成してもよい。このようにしても、製版時に溶融した感熱フィルム３が接着層４ａを核として、この接着層４ａと支持体２の間に橋を渡すように絡みつき、多孔性支持体２の繊維の隙間よりも小さな開口が得られる。よって、格子状の接着層４を有する前記例と同等の孔版印刷の品質が得られる。
【００３５】
以上説明した例においては、感熱孔版原紙１に接着層４，４ａを設け、原稿７と接着して製版を行った。しかしながら、感熱孔版原紙には従来のものを用い、原稿に本出願人が提案する感熱孔版原紙製版用原稿を用いてもよい。この感熱孔版原紙製版用原稿は、光熱変換物質を含む画像が形成されている用紙と、前記用紙の少なくとも前記画像上に設けられた接着層とを有している。光熱変換物質は前記原稿７の画像９が含むものと同一である。接着層は、前記接着層４，４ａと同一の構成である。
【００３６】
【発明の効果】
本発明によれば、感熱孔版原紙の製版面と光熱変換物質を含む原稿画像を接着層により直接接着させるので、機械的圧力を加える装置を必要とせずに製版を行うことができる。
【００３７】
接着層を、感熱フィルムに点状または格子状に形成すれば、溶融された感熱フィルムの残渣が接着剤に絡み付き、多孔性支持体の隙間が小さく分割された状態の開口が得られ、このため孔版印刷の品位が向上するとともに、裏写りの問題が軽減される。
【図面の簡単な説明】
【図１】本発明の実施の形態における感熱孔版原紙の断面図である。
【図２】本発明の実施の形態の感熱孔版原紙を原稿に接着した状態を示す断面図である。
【図３】本発明の実施の形態の感熱孔版原紙の製版後に、接着層に微粉を付着させる工程を示す断面図である。
【図４】本発明の実施の形態における感熱孔版原紙の斜視図である。
【図５】本発明の実施の形態における変形例の感熱孔版原紙を、接着層の側からみた平面図である。
【符号の説明】
１  感熱孔版原紙
２  多孔性支持体
３  感熱フィルム
４，４ａ  接着層
７  原稿
８  用紙
９  画像
１０  パウダーシート
１１  シート
１２  微粉
【図１】
0003547581.tif 000002
【図２】
0003547581.tif 000003
【図３】
0003547581.tif 000004
【図４】
0003547581.tif 000005
【図５】
0003547581.tif 000006